(57)【要約】【課題】水分の侵入を防ぎ、光ファイバーユニットを効果的に保護する。【解決手段】樹脂のシース５３で被覆した光ファイバーユニット５０を内包する光複合架空地線１００において、断面形状が扇形となる複数の金属線３０，４０を略円形になるよう並べて配置すると共に、複数の金属線の少なくとも一部が略円形の中心まで延びている。樹脂のシース５３は、光ファイバーユニット５０への水分の侵入を防ぐことができる。また、第一の金属線３０が略円形の中心まで延びているので外部からの衝撃や圧力を受けた場合に中心側の端部３３が支えとなり、一部の金属線のつぶれによる型崩れの発生を効果的に抑制し、第二の金属線４０の内側領域Ｓ内の光ファイバーユニット５０を効果的に保護することが可能となる。【選択図】図１
2016197557.tif 000002
【特許請求の範囲】
【請求項１】
樹脂のシースで被覆した光ファイバーユニットを内包する光複合架空地線において、
断面形状が扇形となる複数の金属線を略円形になるよう並べて配置すると共に、前記複数の金属線の少なくとも一部が前記略円形の中心まで延びていることを特徴とする光複合架空地線。
【請求項２】
前記複数の金属線は、前記略円形の中心まで延びているものと前記略円形の中心まで延びてないものとからなり、前記略円形の中心まで延びていない金属線の内側領域に前記光ファイバーユニットを配置したことを特徴とする請求項１記載の光複合架空地線。
【請求項３】
前記略円形の中心に心線を配置し、当該心線を、前記略円形の中心まで伸びている金属線の各々と接触配置させたことを特徴とする請求項１又は２記載の光複合架空地線。
【請求項４】
前記略円形の中心まで延びている金属線の各々は、当該略円形の中心側の端部が集まって他の中心側の端部に接触し合う配置であることを特徴とする請求項１又は２記載の光複合架空地線。
【請求項５】
前記略円形の中心まで延びている金属線に、隣接する他の金属線側に開口した凹部を形成し、当該凹部内に前記光ファイバーユニットを配置したことを特徴とする請求項１から４のいずれか一項に記載の光複合架空地線。
【請求項６】
互いに隣接する二本の前記略円形の中心まで延びている金属線に、隣接する他の金属線側に開口した凹部を形成し、隣接する金属線の凹部同士で一つの穴部を形成し、当該穴部内に前記光ファイバーユニットを配置したことを特徴とする請求項５に記載の光複合架空地線。
【請求項７】
略円形に並べて配置された前記断面形状が扇形となる複数の金属線の外周に、複数の金属線を並べて配置したことを特徴とする請求項１から６のいずれか一項に記載の光複合架空地線。
【発明の詳細な説明】
【技術分野】
【０００１】
本発明は、光ファイバーケーブルを内包する光複合架空地線に関する。
【背景技術】
【０００２】
架空送電線路に雷害からの防護のために架設される架空地線は、従来から、光ファイバーを内包させて通信回線として利用されていた。
例えば、特許文献１には、光ファイバーユニットがアルミニウム製金属管に収納され、その外周を鋼より線で撚り込んで形成された光複合架空地線が提案されている。この光複合架空地線では、金属管により光ファイバーユニットの水密を図っていた。
また、特許文献２には、金属管を使用せずに、光ファイバーユニットを樹脂のシースで被覆し、光ファイバーユニットが周囲の金属線やテンションメンバに圧迫されて損傷しないように中心部を中空とする断面扇状の金属線で光ファイバーユニットを取り囲む光複合架空地線が提案されている。
【先行技術文献】
【特許文献】
【０００３】
【特許文献１】特開平０１−１５７００６号公報
【特許文献２】特開２０１４−１０９７５８号公報
【発明の概要】
【発明が解決しようとする課題】
【０００４】
しかしながら、特許文献１の光複合架空地線は、アルミニウム製金属管に光ファイバーユニットを収納する構造のため、アルミニウム製金属管に孔食が生じると、水が浸入しやすく、冬季には水分が凍結膨張して光ファイバーユニットを圧迫し、破壊するという問題が生じていた。
また、特許文献２の光複合架空地線は、複数の扇状の金属線により光ファイバーユニットを取り囲む配置としているが、一つ一つの金属線が外部から衝撃を受けると、内側で支えるものがないので型崩れを生じる場合があり、略円形を保つことができなくなり、内部の光ファイバーユニットを圧迫、破壊してしまい、十分に保護できないおそれがあった。
【０００５】
本発明の目的は、水分の侵入を抑制するとともに金属線が外部から衝撃を受けた際でも光ファイバーユニットを保護することができる光複合架空地線を提供することである。
【課題を解決するための手段】
【０００６】
請求項１記載の発明は、
樹脂のシースで被覆した光ファイバーユニットを内包する光複合架空地線において、
断面形状が扇形となる複数の金属線を略円形になるよう並べて配置すると共に、前記複数の金属線の少なくとも一部が前記略円形の中心まで延びていることを特徴とする。
【０００７】
請求項２記載の発明は、請求項１記載の光複合架空地線において、
前記複数の金属線は、前記略円形の中心まで延びているものと前記略円形の中心まで延びてないものとからなり、前記略円形の中心まで延びていない金属線の内側領域に前記光ファイバーユニットを配置したことを特徴とする。
【０００８】
請求項３記載の発明は、請求項１又は２記載の光複合架空地線において、
前記略円形の中心に心線を配置し、当該心線を、前記略円形の中心まで伸びている金属線の各々と接触配置させたことを特徴とする。
【０００９】
請求項４記載の発明は、請求項１又は２記載の光複合架空地線において、
前記略円形の中心まで延びている金属線の各々は、当該略円形の中心側の端部が集まって他の中心側の端部に接触し合う配置であることを特徴とする。
【００１０】
請求項５記載の発明は、請求項１から４のいずれか一項に記載の光複合架空地線において、
前記略円形の中心まで延びている金属線に、隣接する他の金属線側に開口した凹部を形成し、当該凹部内に前記光ファイバーユニットを配置したことを特徴とする。
【００１１】
請求項６記載の発明は、請求項５記載の光複合架空地線において、
互いに隣接する二本の前記略円形の中心まで延びている金属線に、隣接する他の金属線側に開口した凹部を形成し、隣接する金属線の凹部同士で一つの穴部を形成し、当該穴部内に前記光ファイバーユニットを配置したことを特徴とする。
【００１２】
請求項７記載の発明は、請求項１から６のいずれか一項に記載の光複合架空地線において、
略円形に並べて配置された前記断面形状が扇形となる複数の金属線の外周に、複数の金属線を並べて配置したことを特徴とする。
【発明の効果】
【００１３】
以上のように、本発明は、光ファイバーユニットを樹脂のシースで被覆することで水分の侵入を抑制し、凍結による破損を効果的に抑制する。
さらに、断面形状が扇形となる複数の金属線を略円形に並べ、金属線の一部が略円形の中心まで延びていることから、当該中心まで延びた金属線が外力に対する内側への支えとなり、金属線の型崩れを防止することで、前記光ファイバーユニットを保護することが可能となる。
【図面の簡単な説明】
【００１４】
【図１】第一の実施形態の光複合架空地線の長手方向に垂直な断面で示した断面図である。
【図２】第二の実施形態の光複合架空地線の長手方向に垂直な断面で示した断面図である。
【図３】第三の実施形態の光複合架空地線の長手方向に垂直な断面で示した断面図である。
【図４】第四の実施形態の光複合架空地線の長手方向に垂直な断面で示した断面図である。
【発明を実施するための形態】
【００１５】
［第一の実施形態］
本発明の光複合架空地線を示す第一の実施形態を図１に基づいて説明する。図１は光複合架空地線１００の長手方向に垂直な断面で示した断面図である。
この光複合架空地線１００は、架空送電線を雷害から防護するために所定間隔で接地された状態で架空送電線の送電経路に沿って鉄塔に架設される。
【００１６】
上記光複合架空地線１００は、中心に配置された心線２０と、心線２０の周囲に配置された三本の第一の金属線３０と、第一の金属線３０と交互に並ぶように心線２０の周囲に配置された三本の第二の金属線４０と、各第二の金属線４０の内側領域Ｓにそれぞれ配置された三本の光ファイバーユニット５０とを備えている。
そして、三本の第一の金属線３０と三本の第二の金属線４０とは、円周に沿って並んだ状態で撚り合わせられており、これにより光複合架空地線１００の外周の断面形状が略円形となっている。
なお本明細書において「略円形」「断面略円形」という用語を使う場合、その形状としては、真円、楕円のほか、図１に示すように、多少の凹凸を有しつつ全体として円形状を呈するもの、さらには五角形以上の多角形状も含む意味とする。
【００１７】
［心線］
心線２０は、アルミニウム合金からなり、光複合架空地線の長手方向に垂直な断面が略円形の金属線である。心線２０の外周面には、それぞれの第一の金属線３０の中心側の端部が押し当てられた状態となっている。なお心線２０を正多角形状とする場合、それぞれの第一の金属線３０の中心側の端部が押し当てられる方向に対して概ね垂直に当接するようにその断面形状が形成されていることが望ましい。
また、心線２０は良導体であることが望ましいが、十分な強度を有する材料であれば金属以外の絶縁体であっても良い。
【００１８】
［光ファイバーユニット］
光ファイバーユニット５０は、その中心に配置されたテンションメンバ５１と、テンションメンバ５１の周囲に配置された六本の光ファイバー心線５２と、六本の光ファイバー心線５２の外側を被覆する樹脂製のシース５３とを含む構成となっている。
テンションメンバ５１は、光ファイバーユニット５０に引っ張り強度や撓み剛性等の機械的な強度を付与するためのものであり、必要強度が得られる材料であればよい。例えば、ＦＲＰ(Fiber Reinforce Plastics)製のテンションメンバが使用される。
光ファイバー心線５２は、コアとクラッドを有するケーブルであり、その外周を保護層で被覆したものを使用しても良い。また、複数の光ファイバーがテープ状に並べられたテープ心線を使用しても良い。また、テンションメンバ５１の周囲に六本の光ファイバー心線５２を配置した場合を例示したが、その本数は任意に変更可能である。
シース５３は、例えば、ナイロン樹脂、ポリ塩化ビニル等の合成樹脂から形成されている。
【００１９】
［第一の金属線］
第一の金属線３０は、鋼線３１の外周をアルミニウム層３２で被覆したアルミ覆鋼線である。アルミニウム層３２の表面にはアルマイト層を設けてもよい。また、鋼線３１は、鋼素線の撚り合わせから形成しても良い。なお、第一の金属線３０は上記材料及び上記構造に限らず、良導体であればよい。
三本の第一の金属線３０は、心線２０を中心に三方に放射状に配置され、心線２０を中心とする円周方向に均一の角度間隔（例えば120°）で並んでいる。
【００２０】
この第一の金属線３０は、断面形状が中心角60°の扇形であり、光複合架空地線１００の中心側となる第一の金属線３０の端部３３は当該中心に位置する心線２０まで延びて心線２０の外周面に当接している。即ち、第一の金属線３０の断面形状である扇形の外側の円弧の外径は光複合架空地線１００の外径に一致しており、扇形の内側の円弧の内径は心線２０の外径と略一致している。
【００２１】
［第二の金属線］
第二の金属線４０は、鋼線４１の外周をアルミニウム層４２で被覆したアルミ覆鋼線である。アルミニウム層４２の表面にはアルマイト層を設けてもよい。また、鋼線４１は、鋼素線の撚り合わせから形成しても良い。なお、第二の金属線４０は上記材料及び上記構造に限らず、良導体であればよい。
三本の第二の金属線４０は、心線２０を中心に三方に放射状に配置され、心線２０を中心とする円周方向に均一の角度間隔（例えば120°）で並んでいる。そして、それぞれの第二の金属線４０は、いずれも二本の第一の金属線３０，３０の間に配置され、これにより、第一の金属線３０と第二の金属線４０とが円周方向に交互に並んだ配置となっている。
【００２２】
この第二の金属線４０は、断面形状が中心角60°の扇形であり、光複合架空地線１００の中心側となる第二の金属線４０の端部は当該中心に位置する心線２０まで届いていない。即ち、第二の金属線４０の断面形状である扇形の外側の円弧の外径は光複合架空地線１００の外径に一致しており、扇形の内側の円弧の内径は心線２０の外径よりも大きくなっている。
これにより、第二の金属線４０の扇形の内側の円弧より内側領域Ｓには、当該第二の金属線４０とその両側に位置する第一の金属線３０，３０と心線２０とに囲まれた隙間空間が形成され、当該隙間空間内に前述した光ファイバーユニット５０が配置されている。なお、一つの内側領域Ｓに対して一本の光ファイバーユニット５０を配置した例を示しているが、より小径の光ファイバーユニットをより多く配置しても良い。
【００２３】
［作用効果］
上記構成からなる光複合架空地線１００は、光ファイバーユニット５０を樹脂のシース５３で被覆しているので、金属管の内側に配置する場合に比べて孔食の発生に伴う水分の侵入による光ファイバーユニット５０の破損の発生を効果的に低減することができる。
さらに、断面形状が扇形となる第一と第二の金属線３０，４０を断面略円形になるよう並べて接触配置すると共に、第一の金属線３０が複数、光複合架空地線１００がなす略円形の中心に位置する心線２０まで延びて、心線２０と接触している。すなわち光複合架空地線１００の周縁部においては第一の金属線３０と第二の金属線４０がお互いにより位置規制され、中心においては第一の金属線３０が心線２０および他の第一の金属線３０によって位置規制された構造となっている。よって第一、第二の金属線３０，４０のいずれかに外力が加わった場合でも、外力の加わった金属線は他の金属線および心線２０に位置規制されていることから型崩れが防止される。
このように、従来の、全ての金属線が略円形の中心に届いていない構造に比べて、外部からの衝撃や圧力を受けた場合に第一の金属線３０の中心側の端部が支えとなり、一部の金属線のつぶれによる型崩れの発生を効果的に抑制し、第二の金属線４０の内側領域Ｓ内の光ファイバーユニット５０を効果的に保護することが可能となる。
【００２４】
また、光複合架空地線１００は、金属線を、略円形の中心に位置する心線２０まで延びている第一の金属線３０と略円形の中心まで延びてない第二の金属線４０とから構成しているので、各金属線に光ファイバーユニット５０の配置スペースを確保するための変形加工を行うことなく、第二の金属線４０の内側領域Ｓを利用して光ファイバーユニット５０の配置スペースを容易に確保することが可能である。
【００２５】
また、光複合架空地線１００は、略円形の中心に心線２０を配置し、当該心線２０を、第一の金属線３０の各々と接触配置させているので、外部からの衝撃や圧力を受けた場合に心線が集中的にその圧力を受けることとなり、第一の金属線３０の破壊や損傷を低減し、光複合架空地線１００の全体を保護することが可能である。
【００２６】
［その他］
第一の金属線３０及び第二の金属線４０は、いずれも三本ずつ設ける場合を例示したがその本数は増減可能である。なお、本数に応じて断面形状である扇形の中心角度は調整する必要がある。
また、第一の金属線３０と第二の金属線４０とは同じ本数ではなくともよい。例えば、円周方向に第一の金属線３０が二本に対して第二の金属線４０が一本並ぶように配置しても良い。
また、円周に沿って一周するように配置可能であれば、第一の金属線３０と第二の金属線４０のそれぞれの断面形状である扇形の中心角度は一致しなくとも良い。
【００２７】
また、第二の金属線４０の内側領域Ｓ内において、各光ファイバーユニット５０の周囲の隙間には隙間空間を埋める介在物を充填してもよい。
また、心線２０は、光ファイバーユニットを挿通させた、または挿通させることのできる中空の心線を設けてもよい。
【００２８】
［第二の実施形態］
本発明の光複合架空地線を示す第二の実施形態を図２に基づいて説明する。図２は光複合架空地線１００Ａの長手方向に垂直な断面で示した断面図である。
この光複合架空地線１００Ａもまた、架空送電線を雷害から防護するために所定間隔で接地された状態で架空送電線の送電経路に沿って鉄塔に架設される。
なお、光複合架空地線１００Ａの説明において前述した光複合架空地線１００と同一の構成については同じ符号を付して重複する説明は省略するものとする。
【００２９】
上記光複合架空地線１００Ａは、円周に沿って配置された三本の第一の金属線３０Ａと、第一の金属線３０Ａと交互に並ぶように円周に沿って配置された三本の第一の金属線３０Ｂと、対をなす第一の金属線３０Ａ，３０Ｂの間に形成される穴部にそれぞれ配置された三本の光ファイバーユニット５０とを備えている。
そして、三本の第一の金属線３０Ａと三本の第一の金属線３０Ｂとは、円周に沿って並んだ状態で撚り合わせられており、これにより光複合架空地線１００Ａの外周の断面形状が略円形となっている。
【００３０】
［第一の金属線］
第一の金属線３０Ａ，３０Ｂは、いずれも、鋼線３１Ａ，３１Ｂの外周をアルミニウム層３２Ａ又は３２Ｂで被覆したアルミ覆鋼線である。アルミニウム層３２Ａ，３２Ｂの表面にアルマイト層を設けてもよいこと及び鋼線３１Ａ，３１Ｂを鋼素線の撚り合わせから形成しても良いことは前述した第一の金属線３０と同様である。なお、第一の金属線３０Ａ，３０Ｂは上記材料及び上記構造に限らず、良導体であればよい。
【００３１】
第一の金属線３０Ａと第一の金属線３０Ｂとは、円周に沿って交互に均一の角度間隔（例えば60°）で並んでいる。
第一の金属線３０Ａ，３０Ｂは、いずれも、断面形状が中心角60°の扇形であり、光複合架空地線１００Ａの中心側となる端部３３Ａ，３３Ｂは光複合架空地線１００Ａのほぼ中心まで延びている。これにより、光複合架空地線１００Ａの全ての金属線３０Ａ，３０Ｂは、中心側の端部３３Ａ，３３Ｂが集まって他の中心側の端部に接触し合う配置となっている。
【００３２】
また、互いに隣接する第一の金属線３０Ａと第一の金属線３０Ｂとが対をなしており、第一の金属線３０Ａにおける第一の金属線３０Ｂ側の側面には当該第一の金属線３０Ｂ側に開口した凹部３４Ａが形成され、第一の金属線３０Ｂにおける第一の金属線３０Ａ側の側面には当該第一の金属線３０Ａ側に開口した凹部３４Ｂが形成されている。これらの凹部３４Ａ，３４Ｂは断面形状が径の等しい半円状であり、対をなす第一の金属線３０Ａ，３０Ｂが隣接した状態で合致して一つの略円形の穴部を形成する。そして、これら凹部３４Ａ，３４Ｂから形成された穴部の内側に光ファイバーユニット５０が配置されている。
【００３３】
［作用効果］
上記構成からなる光複合架空地線１００Ａは、円周に沿って並んで配置された全ての金属線３０Ａ，３０Ｂが略円形の中心まで延びて、隣接するもの同士、お互いに接触配置されている。このため、外部からの衝撃や圧力を受けた場合にいずれの第一の金属線３０Ａ，３０Ｂもその中心側の端部３３Ａ，３３Ｂが支えとなり、図１の場合と同様、一部の金属線のつぶれによる型崩れの発生をより効果的に抑制し、各光ファイバーユニット５０をより強固に、より効果的に保護することが可能となる。
【００３４】
また、各第一の金属線３０Ａ，３０Ｂにおいて隣接する他の第一の金属線３０Ｂ，３０Ａ側に開口した凹部３４Ａ，３４Ｂを光ファイバーユニット５０の配置スペースとしているので、前述した第二の金属線４０と異なり、それぞれの第一の金属線３０Ａ，３０Ｂは、全て略円形の中心側の端部３３Ａ，３３Ｂが当該略円形の中心に達する形状とすることができ、金属線のつぶれによる型崩れの発生を効果的に抑制し、各光ファイバーユニット５０を保護することができる。
さらに、対をなす第一の金属線３０Ａ，３０Ｂの凹部３４Ａ，３４Ｂが一つの穴部を構成し、光ファイバーユニット５０を格納するので、凹部３４Ａ，３４Ｂの存在による強度の低下の影響を二本の第一の金属線３０Ａ，３０Ｂで分散することができ、それぞれの第一の金属線３０Ａ，３０Ｂが一定の強度を確保することが可能である。
【００３５】
［その他］
第一の金属線３０Ａ，３０Ｂは、いずれも三本ずつ設ける場合を例示したがその本数は増減可能である。なお、本数に応じて断面形状である扇形の中心角度は調整する必要がある。
また、第一の金属線３０Ａ，３０Ｂに加えて凹部が形成されていない第一の金属線を混在させてもよい。
また、第一の金属線３０Ａ，３０Ｂの凹部３４Ａ，３４Ｂ内に複数の光ファイバーユニット５０を格納しても良い。その場合、凹部３４Ａ，３４Ｂの断面形状は半円状ではなくともよい。
【００３６】
本実施形態では、図１の場合と異なり、心線２０を設ける必要がないため部品点数の削減になり、さらには複数の光ファイバーユニットをそれぞれ別スペースで保持することができる点で好ましい。
もちろん、光ファイバーユニットの配置はそのままに、光複合架空地線１００Ａの中心に、図１の光複合架空地線１００の心線２０の場合と同じように、光ファイバーユニットを挿通させた、または挿通させることのできる中空の心線、あるいは中空ではない線を設けてもよい。
【００３７】
［第三の実施形態］
本発明の光複合架空地線を示す第三の実施形態を図３に基づいて説明する。図３は光複合架空地線１００Ｃの長手方向に垂直な断面で示した断面図である。
この光複合架空地線１００Ｃもまた、架空送電線を雷害から防護するために所定間隔で接地された状態で架空送電線の送電経路に沿って鉄塔に架設される。
なお、光複合架空地線１００Ｃの説明において前述した光複合架空地線１００と同一の構成については同じ符号を付して重複する説明は省略するものとする。
【００３８】
上記光複合架空地線１００Ｃは、円周に沿って配置された三本の第一の金属線３０Ｃと、撚り合わせられた三本の第一の金属線３０Ｃの外周に沿って並んで配置された複数の第三の金属線６０Ｃと、隣接する第一の金属線３０Ｃ，３０Ｃの間に形成される穴部にそれぞれ配置された三本の光ファイバーユニット５０とを備えている。
そして、三本の第一の金属線３０Ｃは、円周に沿って並んだ状態で撚り合わせられており、撚り合わせられた三本の第一の金属線３０Ｃの外周の断面形状が略円形となっている。  
【００３９】
［第一の金属線］
第一の金属線３０Ｃは、いずれも、全体がアルミニウム合金製であり、それぞれの第一の金属線３０Ｃの表面にアルマイト層を設けてもよい。なお、第一の金属線３０Ｃは上記材料及び上記構造に限らず、良導体であればよい。
【００４０】
第一の金属線３０Ｃは、円周に沿って交互に均一の角度間隔（例えば120°）で並んでいる。
第一の金属線３０Ｃは、いずれも、断面形状が中心角120°の扇形であり、光複合架空地線１００Ｃの中心側となる端部３３Ｃは光複合架空地線１００Ｃのほぼ中心まで延びている。つまり、光複合架空地線１００Ｃの全ての金属線３０Ｃは、中心側の端部３３Ｃが集まって他の中心側の端部３３Ｃに接触し合う配置となっている。
【００４１】
また、第一の金属線３０Ｃにおける円周方向両側の側面には、それぞれ、隣接する他の第一の金属線３０Ｃ側に開口した凹部３４Ｃ，３４Ｃが形成されている。これらの凹部３４Ｃはいずれも断面形状が扇状であり、隣接する他の第一の金属線３０Ｃの凹部３４Ｃと一体となって一つの穴部を形成する。そして、これら凹部３４Ｃ，３４Ｃから形成された穴部の内側に光ファイバーユニット５０が配置されている。
【００４２】
［第三の金属線］
第三の金属線６０Ｃは、鋼線６１Ｃの外周をアルミニウム層６２Ｃで被覆したアルミ覆鋼線である。アルミニウム層６２Ｃの表面にはアルマイト層を設けてもよい。また、鋼線６１Ｃは、鋼素線の撚り合わせから形成しても良い。なお、第三の金属線６０Ｃは上記材料及び上記構造に限らず、良導体であればよい。
【００４３】
撚り合わせられた三本の第一の金属線３０Ｃの外周全体を覆うように、円周に沿って１２本の第三の金属線６０Ｃが並んで設けられている。
第三の金属線６０Ｃは断面形状が略円形であり、上記１２本の第三の金属線６０Ｃも三本の第一の金属線３０Ｃの外周において撚り合わせられている。
つまり、光複合架空地線１００Ｃは、第一の金属線３０Ｃからなる層と第三の金属線６０Ｃからなる層とにより、二重の層が形成されている。
【００４４】
［作用効果］
上記構成からなる光複合架空地線１００Ｃは、内側の層を形成する円周に沿って並んで配置された全ての金属線３０Ｃが略円形の中心まで延びている。このため、図１、図２の場合と同様、外部からの衝撃や圧力を受けた場合にいずれの第一の金属線３０Ｃもその中心側の端部３３Ｃが支えとなり、一部の金属線のつぶれによる型崩れの発生をより効果的に抑制し、各光ファイバーユニット５０をより強固に、より効果的に保護することが可能となる。
【００４５】
また、第一の金属線３０Ｃにおいて隣接する他の第一の金属線３０Ｃ，３０Ｃ側に開口した凹部３４Ｃ，３４Ｃを光ファイバーユニット５０の配置スペースとしているので、前述した第二の金属線４０と異なり、それぞれの第一の金属線３０Ｃ，３０Ｃは、全て略円形の中心側の端部３３Ｃが当該略円形の中心に達する形状とすることができ、金属線のつぶれによる型崩れの発生を効果的に抑制し、各光ファイバーユニット５０を保護することができる。
さらに、二本の第一の金属線３０Ｃ，３０Ｃの凹部３４Ｃ，３４Ｃが一つの穴部を構成し、光ファイバーユニット５０を格納するので、凹部３４Ｃの存在による強度の低下の影響を二本の第一の金属線３０Ｃ，３０Ｃで分散することができ、それぞれの第一の金属線３０Ｃ，３０Ｃが一定の強度を確保することが可能である。
【００４６】
また、第一の金属線３０Ｃは、内部に鋼線を備えておらず、これにより、凹部３４Ｃを円周方向の両側に設け、光ファイバーユニット５０の配置スペースの拡大を図っている。
【００４７】
また、光複合架空地線１００Ｃは、撚り合わせられた三本の第一の金属線３０Ｃの外周に撚り合わせられた１２本の第三の金属線６０Ｃを配置しているので、金属線を複数の層状とすることにより、通電可能な電流量の拡大を実現している。
【００４８】
［その他］
第一の金属線３０Ｃは、三本ずつ設ける場合を例示したがその本数は増減可能である。なお、本数に応じて断面形状である扇形の中心角度は調整する必要がある。
また、第一の金属線３０Ｃに加えて凹部が形成されていない第一の金属線を混在させてもよい。
また、第一の金属線３０Ｃの凹部３４Ｃ内に複数の光ファイバーユニット５０を格納しても良い。
さらに、第一の金属線３０Ｃの凹部３４Ｃの断面形状は扇状でなくともよい。例えば、略半円形とした場合には、隣接する他の第一の金属線３０Ｃの凹部３４Ｃと共に略円形の穴部を形成することができ、光ファイバーユニット５０の断面形状と一致するので、配置スペースを効率的に利用することができる。
【００４９】
また、第三の金属線６０Ｃの断面形状は略円形に限らない。例えば、断面を扇状として、内側の円弧の内径を第一の金属線３０Ｃの外径と等しくすることで、撚り合わせられた三本の第一の金属線３０Ｃの外周に、複数の第三の金属線６０Ｃを隙間なく並べられるようにしても良い。また、その他の断面形状としてもよい。
【００５０】
また、第一の実施形態で説明した光複合架空地線１００の外周面にも第三の金属線６０Ｃと同様の金属線を円周に沿って並べて設け、金属線の複数層化を図ってもよい。
【００５１】
本実施形態では、図２の場合と同様、心線２０を設ける必要がないため部品点数の削減になり、さらには複数の光ファイバーユニットをそれぞれ別スペースで保持することができる点で好ましい。さらに、図２の場合と異なり、異なる形状の金属線を使用する必要がない点でさらに好ましい。
もちろん、光ファイバーユニットの配置はそのままに、光複合架空地線１００Ａの中心に、図１の光複合架空地線１００の心線２０の場合と同じように、光ファイバーユニットを挿通させた、または挿通させることのできる中空の心線、あるいは中空ではない線を設けてもよい。
【００５２】
［第四の実施形態］
本発明の光複合架空地線を示す第四の実施形態を図４に基づいて説明する。図４は光複合架空地線１００Ｄの長手方向に垂直な断面で示した断面図である。
この光複合架空地線１００Ｄもまた、架空送電線を雷害から防護するために所定間隔で接地された状態で架空送電線の送電経路に沿って鉄塔に架設される。
なお、光複合架空地線１００Ｄの説明において前述した光複合架空地線１００〜１００Ｃと同一の構成については同じ符号を付して重複する説明は省略するものとする。
【００５３】
上記光複合架空地線１００Ｄは、円周に沿って配置された四本の第一の金属線３０Ｄと、第一の金属線３０Ｄと交互に並ぶように円周に沿って配置された四本の第一の金属線３０Ｅと、対をなす第一の金属線３０Ｄ，３０Ｅの間に形成される穴部にそれぞれ配置された四本の光ファイバーユニット５０と、撚り合わせられた第一の金属線３０Ｄ，３０Ｅの外周に沿って並んで配置された１２本の第三の金属線６０Ｃとを備えている。
そして、四本の第一の金属線３０Ｄと四本の第一の金属線３０Ｅとは、円周に沿って並んだ状態で撚り合わせられており、これにより光複合架空地線１００Ｄの外周の断面形状が略円形となっている。
【００５４】
［第一の金属線］
第一の金属線３０Ｄ，３０Ｅは、いずれも、鋼線３１Ｄ，３１Ｅの外周をアルミニウム層３２Ｄ又は３２Ｅで被覆したアルミ覆鋼線である。アルミニウム層３２Ｄ，３２Ｅの表面にアルマイト層を設けてもよいこと及び鋼線３１Ｄ，３１Ｅを鋼素線の撚り合わせから形成しても良いことは前述した第一の金属線３０と同様である。なお、第一の金属線３０Ｄ，３０Ｅは上記材料及び上記構造に限らず、良導体であればよい。
【００５５】
第一の金属線３０Ｄと第一の金属線３０Ｅとは、円周に沿って交互に均一の角度間隔（例えば45°）で並んでいる。
第一の金属線３０Ｄ，３０Ｅは、いずれも、断面形状が中心角45°の扇形であり、光複合架空地線１００Ａの中心側となる端部３３Ｄ，３３Ｅは光複合架空地線１００Ｄのほぼ中心まで延びている。これにより、光複合架空地線１００Ｄの全ての金属線３０Ｄ，３０Ｅは、中心側の端部３３Ｄ，３３Ｅが集まって他の中心側の端部に接触し合う配置となっている。
【００５６】
また、互いに隣接する第一の金属線３０Ｄと第一の金属線３０Ｅとが対をなしており、第一の金属線３０Ｄにおける第一の金属線３０Ｅ側の側面には当該第一の金属線３０Ｅ側に開口した凹部３４Ｄが形成され、第一の金属線３０Ｅにおける第一の金属線３０Ｄ側の側面には当該第一の金属線３０Ｄ側に開口した凹部３４Ｅが形成されている。これらの凹部３４Ｄ，３４Ｅは断面形状が径の等しい半円状であり、対をなす第一の金属線３０Ｄ，３０Ｅが隣接した状態で合致して一つの略円形の穴部を形成する。そして、これら凹部３４Ｄ，３４Ｅから形成された穴部の内側に光ファイバーユニット５０が配置されている。
【００５７】
［作用効果］
上記構成からなる光複合架空地線１００Ｄは、前述した光複合架空地線１００Ａと同様に、全ての第一の金属線３０Ｄ，３０Ｅが略円形の中心まで延びているので、一部の金属線のつぶれによる型崩れの発生をより効果的に抑制し、各光ファイバーユニット５０をより強固に、より効果的に保護することが可能である。
【００５８】
また、各第一の金属線３０Ｄ，３０Ｅは凹部３４Ｄ，３４Ｅを光ファイバーユニット５０の配置スペースとしているので、強度を維持しつつ光ファイバーユニット５０の配置スペースを確保し保護することができる。
【００５９】
また、撚り合わせられた第一の金属線３０Ｄ及び３０Ｅの外周に撚り合わせられた１２本の第三の金属線６０Ｃを配置しているので通電可能な電流量の拡大を実現している。
【００６０】
［その他］
第一の金属線３０Ｄ，３０Ｅは、いずれも四本ずつ設ける場合を例示したがその本数は増減可能である。なお、本数に応じて断面形状である扇形の中心角度は調整する必要がある。
また、第一の金属線３０Ｄ，３０Ｅに加えて凹部が形成されていない第一の金属線を混在させてもよい。
また、第一の金属線３０Ｄ，３０Ｅの凹部３４Ｄ，３４Ｅ内に複数の光ファイバーユニット５０を格納しても良い。その場合、凹部３４Ｄ，３４Ｅの断面形状は半円状ではなくともよい。
【００６１】
本実施形態では、図２、図３の場合と同様、心線２０を設ける必要がないため部品点数の削減になり、さらには複数の光ファイバーユニットをそれぞれ別スペースで保持することができる点で好ましい。図２、図３の場合と異なり、金属線をアルミ被覆鋼線としたことでさらに光複合架空地線１００Ｄの機械強度を高めることができる。
もちろん、光ファイバーユニットの配置はそのままに、光複合架空地線１００Ａの中心に、図１の光複合架空地線１００の心線２０の場合と同じように、光ファイバーユニットを挿通させた、または挿通させることのできる中空の心線、あるいは中空ではない線を設けてもよい。
【符号の説明】
【００６２】
２０  心線
３０，３０Ａ，３０Ｂ，３０Ｃ，３０Ｄ，３０Ｅ  第一の金属線
３３，３３Ａ，３３Ｂ，３３Ｃ，３３Ｄ，３３Ｅ  中心側の端部
３４Ａ，３４Ｂ，３４Ｃ，３４Ｄ，３４Ｅ  凹部
４０  第二の金属線
５０  光ファイバーユニット
５３  シース
６０Ｃ  第三の金属線
１００，１００Ａ，１００Ｃ，１００Ｄ  光複合架空地線
Ｓ  内側領域
【図１】
2016197557.tif 000003
【図２】
2016197557.tif 000004
【図３】
2016197557.tif 000005
【図４】
2016197557.tif 000006